(57)【要約】      （修正有）【課題】車両のユーザに対して、事前にユーザ情報を通知することなく、ユーザが車両に対する認証を受けることが可能な車両用ユーザ認証システムを提供する。【解決手段】車載装置と、携帯端末と、車載装置及び携帯端末と通信可能に接続されるセンタとを含む車両用ユーザ認証システムであって、車載装置は、第１のユーザ情報と同じ第２のユーザ情報を、車両に搭載される発光機器又は音響機器から出力させる出力処理部を備える。携帯端末は、発光機器又は音響機器から出力される光又は音を取得し、第２のユーザ情報を認識する認識部と、認識部が認識した第２のユーザ情報をセンタに送信する送信部を備える。センタは、第１のユーザ情報を予め記憶するセンタ記憶部と、送信部から送信された第２のユーザ情報を受信する受信部と、センタ記憶部に記憶される第１のユーザ情報と、受信部が受信した第２のユーザ情報とに基づき、ユーザ認証を行う認証部を備える。【選択図】図２
2017092534.tif 000002
【特許請求の範囲】
【請求項１】
車両に搭載される車載装置と、携帯端末と、前記車両の遠隔に設けられると共に、前記車載装置及び前記携帯端末と通信可能に接続され、前記車両と紐付けて予め規定された第１のユーザ情報に基づき、前記車両に対するユーザ認証を行うセンタと、を含む車両用ユーザ認証システムであって、
前記車載装置は、
前記第１のユーザ情報と同じ内容である第２のユーザ情報を予め記憶する車載記憶部と、
前記車載記憶部に記憶される前記第２のユーザ情報を、前記車両に搭載される発光機器又は音響機器から光又は音として出力させる出力処理部を備え、
前記携帯端末は、
前記発光機器又は前記音響機器から出力される前記光又は前記音を取得し、前記第２のユーザ情報を認識する認識部と、
前記認識部が認識した前記第２のユーザ情報を前記センタに送信する送信部を備え、
前記センタは、
前記第１のユーザ情報を予め記憶するセンタ記憶部と、
前記送信部から送信された前記第２のユーザ情報を受信する受信部と、
前記センタ記憶部に記憶される前記第１のユーザ情報と、前記受信部が受信した前記第２のユーザ情報とに基づき、前記ユーザ認証を行う認証部を備える、
車両用ユーザ認証システム。
【発明の詳細な説明】
【技術分野】
【０００１】
本発明は、車両用ユーザ認証システムに関する。
【背景技術】
【０００２】
従来、サーバを中心に構成されるセンタに予めユーザ情報（ユーザＩＤ等）を登録しておき、車載機から送信されたユーザＩＤ（ユーザが車載機に入力したユーザＩＤ）に基づきユーザ認証（車両或いは車載機とユーザとの紐づけ）を行うシステムが知られている（例えば、特許文献１等）。
【先行技術文献】
【特許文献】
【０００３】
【特許文献１】特開２００４−２４８０４２号公報
【発明の概要】
【発明が解決しようとする課題】
【０００４】
しかしながら、上述したようなシステムでは、ユーザは、センタに登録されたユーザＩＤ等のユーザ情報を車載機に入力してユーザ認証を受ける必要があるため、事前にかかるユーザ情報の通知を受ける場合が多い。そのため、以下のような問題が生じる可能性がある。
【０００５】
例えば、車両を購入したユーザに対して、ディーラーでユーザ情報を記載した書面を手渡す場合、国に依っては、ユーザが試乗した車両を気に入ってそのまま持ち帰り、後日クレジット払いを行うケースも想定されるため、書面を手渡す機会を設けにくい可能性がある。また、書面を手渡す機会がある場合でも、ディーラーの従業者がユーザに書面を手渡す作業を失念する可能性もある。
【０００６】
また、書面を手渡す場合も含め、事前にユーザ情報を通知する場合、書面を紛失する等により、ユーザがユーザ情報を確認することができなくなる可能性がある。
【０００７】
そこで、上記課題に鑑み、車両のユーザに対して、事前にユーザ情報を通知することなく、ユーザが車両に対する認証を受けることが可能な車両用ユーザ認証システムを提供することを目的とする。
【課題を解決するための手段】
【０００８】
上記目的を達成するため、本発明の一実施形態において、
車両に搭載される車載装置と、携帯端末と、前記車両の遠隔に設けられると共に、前記車載装置及び前記携帯端末と通信可能に接続され、前記車両と紐付けて予め規定された第１のユーザ情報に基づき、前記車両に対するユーザ認証を行うセンタと、を含む車両用ユーザ認証システムであって、
前記車載装置は、
前記第１のユーザ情報と同じ内容である第２のユーザ情報を予め記憶する車載記憶部と、
前記車載記憶部に記憶される前記第２のユーザ情報を、前記車両に搭載される発光機器又は音響機器から光又は音として出力させる出力処理部を備え、
前記携帯端末は、
前記発光機器又は前記音響機器から出力される前記光又は前記音を取得し、前記第２のユーザ情報を認識する認識部と、
前記認識部が認識した前記第２のユーザ情報を前記センタに送信する送信部を備え、
前記センタは、
前記第１のユーザ情報を予め記憶するセンタ記憶部と、
前記送信部から送信された前記第２のユーザ情報を受信する受信部と、
前記センタ記憶部に記憶される前記第１のユーザ情報と、前記受信部が受信した前記第２のユーザ情報とに基づき、前記ユーザ認証を行う認証部を備える、
車両用ユーザ認証システムが提供される。
【０００９】
本発明の一実施形態によれば、車両用ユーザ認証システムは、車両に搭載される車載装置と、携帯端末と、車両の遠隔に設けられると共に、車載装置及び携帯端末と通信可能に接続され、車両と紐付けて予め規定された第１のユーザ情報（ユーザＩＤ及び初期パスワード等）に基づき、車両に対するユーザ認証を行うセンタと、を含む。また、車両用ユーザ認証システムの車載装置は、第１のユーザ情報と同じ内容である第２のユーザ情報（ユーザＩＤ及び初期パスワード等）を予め記憶する車載記憶部と、車載記憶部に記憶される第２のユーザ情報を、車両に搭載される発光機器又は音響機器を用いて光又は音として出力させる出力処理部を備える。また、車両用ユーザ認証システムの携帯端末は、車載装置の発光機器又は音響機器から出力される光又は音を取得し、第２のユーザ情報を認識する認識部と、認識部が認識した第２のユーザ情報をセンタに送信する送信部を備える。そして、車両用ユーザ認証システムのセンタは、第１のユーザ情報を予め記憶するセンタ記憶部と、携帯端末の送信部から送信された第２のユーザ情報を受信する受信部と、センタ記憶部に記憶される第１のユーザ情報と受信部が受信した第２のユーザ情報とに基づき、ユーザ認証を行う認証部を備える。そのため、ユーザは、携帯端末（例えば、ユーザが所有する携帯電話）を車載装置の発光機器又は音響機器に近づけることにより、携帯端末の認識部が発光機器又は音響機器から出力される音又は光を取得し、ユーザ情報（第２のユーザ情報）を認識すると共に、携帯端末の送信部がかかるユーザ情報（第２のユーザ情報）をセンタに送信する。そして、センタの受信部は、携帯端末の送信部からユーザ情報（第２のユーザ情報）を受信し、センタの認証部は、センタ記憶部に予め記憶されるユーザ情報（第１のユーザ情報）と受信部が受信したユーザ情報（第２のユーザ情報）に基づき、ユーザ認証を行う。従って、車両のユーザに対して、事前にユーザ情報を通知することなく、ユーザは、車両に対する認証を受けることができる。
【発明の効果】
【００１０】
本実施の形態によれば、車両のユーザに対して、事前にユーザ情報を通知することなく、ユーザが車両に対する認証を受けることが可能な車両用ユーザ認証システムを提供することができる。
【図面の簡単な説明】
【００１１】
【図１】車両用ユーザ認証システムの構成の一例を示すブロック図である。
【図２】車載装置（ＥＣＵ）の処理の一例を概略的に示すフローチャートである。
【図３】携帯端末（認識部、送信処理部）の処理の一例を概略的に示すフローチャートである。
【図４】センタ（認証部）の処理の一例を概略的に示すフローチャートである。
【発明を実施するための形態】
【００１２】
以下、図面を参照して発明を実施するための形態について説明する。
【００１３】
図１は、本実施形態に係る車両用ユーザ認証システム（以下、単に「ユーザ認証システム」と称する）１の構成の一例を示す概略的なブロック図である。ユーザ認証システム１は、車両２に搭載される車載装置２１と、携帯端末３と、車両２の遠隔に設けられると共に、車載装置２１及び携帯端末３と無線通信ネットワーク５（例えば、携帯電話網）を通じて通信可能に接続され、車両２と紐付けて予め規定されたユーザ情報（ユーザＩＤ及び初期パスワード等を含むセンタ４に予め登録される情報。以下、「第１のユーザ情報」と称する）に基づき、車両２に対するユーザ認証（車両２とユーザとの紐づけ）を行うセンタ４とを含む。センタ４によるユーザ認証が成功すると、ユーザは、ユーザＩＤとパスワード（初期パスワード或いはユーザにより変更されたパスワード）を用いて、携帯端末３或いは他の端末からセンタ４に車両２の遠隔制御の依頼（遠隔制御依頼）を行うことが可能となる。そして、センタ４は、遠隔制御依頼に応じて、車両２の遠隔制御を実行する（遠隔制御指令を車両２に送信する）。
【００１４】
尚、ユーザからセンタ４に対して依頼可能な車両２の遠隔制御は、例えば、車両２の施錠・開錠、車両２に搭載される空調装置の起動（プレ空調）等である。
【００１５】
車載装置２１は、ＤＣＭ（Ｄａｔａ  Ｃｏｍｍｕｎｉｃａｔｉｏｎ  Ｍｏｄｕｌｅ）２１１、ＥＣＵ（Ｅｌｅｃｔｒｉｃａｌ  Ｃｏｎｔｒｏｌ  Ｕｎｉｔ）２１２、通知部２１３、出力部２１４を含む。
【００１６】
ＤＣＭ２１１は、例えば、携帯電話網等の無線通信ネットワーク５を介してセンタ４と双方向でデータ通信を行う通信機器である。ＤＣＭ２１１は、１対１の通信線等を介して、ＥＣＵ２１２と通信可能に接続される。
【００１７】
ＥＣＵ２１２は、車載装置２１における主たる制御処理を実行する電子制御ユニットである。ＥＣＵ２１２は、例えば、マイクロコンピュータ（出力処理部の一例）等を含んで構成され、ＲＯＭに格納される各種プログラムをＣＰＵ上で実行することにより後述する各種制御処理を実現することができる。また、ＥＣＵ２１２は、内部メモリ（車載記憶部の一例）を含む。
【００１８】
ＥＣＵ２１２は、"初期登録モード"と"通常モード"の何れかで動作する。初期登録モード"は、上述したユーザ認証を行うための動作モードである。一方、通常モードは、車両２に対するユーザ認証が完了している状態、即ち、ユーザと車両２が紐付けられた状態における動作モードであり、具体的には、センタ４からの遠隔制御指令に基づく制御処理を実行する動作モードである。車両２の工場出荷時において、ＥＣＵ２１２の動作モードは、当然の如く、初期登録モードに設定されている。
【００１９】
ＥＣＵ２１２は、初期登録モードにある場合、所定のタイミング（例えば、車両のイグニッション（ＩＧ−ＯＮ）後の初期処理完了後のタイミングや、車載装置２１に対する所定の操作が行われたタイミング等）で、出力部２１４を介して、ユーザ情報（センタ４に予め登録される第１のユーザ情報と同じ内容のユーザＩＤ及び初期パスワード等を含む情報、以下、「第２のユーザ情報」と称する）を出力する処理を実行する。以下、図２を参照して、かかる処理の流れについて説明する。
【００２０】
図２は、車載装置２１（ＥＣＵ２１２）による処理の一例を概略的に示すフローチャートである。
【００２１】
ステップＳ１０２にて、ＥＣＵ２１２は、通知部２１３を介して、携帯端末３による第２のユーザ情報の取得を促す通知（携帯端末３に向けて第２のユーザ情報を出力する旨の通知）を行う。例えば、通知部２１３は、車室内に設けられるスピーカーであり、ＥＣＵ２１２は、スピーカーから音声案内を出力させる。また、例えば、通知部２１３は、メータ内の表示部であり、ＥＣＵ２１２は、かかる表示部に第２のユーザ情報を出力する旨の内容や第２のユーザ情報の取得を促す内容の文言を表示させる。
【００２２】
ステップＳ１０４にて、ＥＣＵ２１２は、携帯端末３に第２のユーザ情報を取得させるため、出力部２１４を介して、第２のユーザ情報を出力する処理を実行する。ＥＣＵ２１２の内部メモリには、工場出荷時において、予めユーザＩＤと複数の初期登録パスワードが格納されており、かかるユーザＩＤと、複数の初期登録パスワードのうちの１つが第２のユーザ情報として、出力される。
【００２３】
尚、工場出荷時に格納されるユーザＩＤ及び複数の初期登録パスワード（第２のユーザ情報）は、車両２のＶＩＮ（Ｖｅｈｉｃｌｅ  Ｉｄｅｎｔｉｆｉｃａｔｉｏｎ  Ｎｕｍｂｅｒ）情報に対して、予め規定されたアルゴリズムにより生成される。また、第２のユーザ情報は、ＥＣＵ２１２の外部のメモリ（例えば、ＤＣＭ２１１の内部メモリ）に予め記憶され、ＥＣＵ２１２は、第２のユーザ情報を外部のメモリから取得する態様であってもよい。また、第２のユーザ情報は、工場出荷時にＥＣＵ２１２の内部メモリ等に予め記憶される態様ではなく、ＥＣＵ２１２により同様のアルゴリズムで生成される態様であってもよい。また、センタ４に予め登録される（後述するセンタ記憶部４２に予め記憶される）第１のユーザ情報は、車両２のＶＩＮ情報に対して、同じアルゴリズムで生成されるので、上述の如く、第１のユーザ情報と第２のユーザ情報は、同じ内容になる。
【００２４】
例えば、出力部２１４は、車室内に設けられる発光機器（具体例としては、緊急通報インジケータのＬＥＤランプ）である。かかる場合、ＥＣＵ２１２は、符号化した第２のユーザ情報（符号情報）を予め規定された点滅パターン（点灯／点滅を用いたビット列データ等）として、第２のユーザ情報（符号情報）を出力部２１４（発光機器）から繰り返し（予め規定された回数）出力させる。
【００２５】
尚、緊急通報インジケータとは、緊急通報が行われていることを表すインジケータであり、ＬＥＤランプが所定のパターンで点滅する。また、緊急通報は、車両２の緊急時（例えば、車両２が障害物と衝突した場合や、ユーザが自身の体調の急変等に伴い緊急通報ボタンを押した場合等）に、ＤＣＭ２１１を通じて、外部（センタ４やヘルプネットセンタ等）に送信される。
【００２６】
また、例えば、出力部２１４は、車室内に設けられる音響機器（スピーカー）である。かかる場合、例えば、ＥＣＵ２１２は、音の高低或いは長短を用いたビット列データ（音データ）として、第２のユーザ情報（符号情報）を出力部２１４から繰り返し（予め規定された回数）出力させる。
【００２７】
また、例えば、出力部２１４は、Ｗｉ−ＦｉやＢｌｕｅｔｏｏｔｈ（共に登録商標）等の通信規格に基づく通信モジュールである。ＥＣＵ２１２は、出力部２１４（通信モジュール）を介して、Ｗｉ−ＦｉやＢｌｕｅｔｏｏｔｈ等の通信規格に基づき、第２のユーザ情報を出力する（携帯端末３に第２のユーザ情報を送信する）。
【００２８】
図１に戻り、ＥＣＵ２１２は、通常モードにある場合、上述の如く、センタ４から送信される遠隔操作指令に応じた制御処理を実行する。例えば、センタ４からの遠隔操作指令が車両２のドアを施錠する指令である場合、ＥＣＵ２１２は、ボディＥＣＵ（不図示）に対して施錠要求を送信する。これにより、ボディＥＣＵがドアロックモータを作動させて、ドアの施錠が行われる。また、センタ４から送信される遠隔操作指令が空調装置を起動させる指令である場合、ＥＣＵ２１２は、車両２をＩＧ−ＯＮさせると共に、エアコンＥＣＵ（不図示）に空調起動要求を送信し、予め登録された設定状態、或いは、指令に含まれる設定状態で、空調装置を作動させる。
【００２９】
携帯端末３は、ユーザが携帯可能な情報処理端末であって、携帯電話網等の無線通信ネットワーク５を介してセンタ４と双方向でデータ通信可能な情報処理端末であり、例えば、車両２のユーザが所有する携帯電話である。携帯端末３には、所定の操作に応じて、インターネット経由でダウンロードされた所定のアプリケーションがインストールされている。携帯端末３は、かかるアプリケーションが携帯端末３のＯＳ上で実行されることにより実現される機能部として、認識部３１と送信処理部３２を含む。以下、図３を参照して、携帯端末３（認識部３１、送信処理部３２）による処理動作について説明する。
【００３０】
尚、携帯端末３は、カメラ（不図示）及びマイクロフォン（不図示）を含む。また、上記アプリケーションは、車両２を製造するメーカーが提供し、ユーザは、例えば、スマートフォン用のアプリサイトやメーカー指定のインターネットサイト等を通じて、かかるアプリケーションをダウンロードすることができる。
【００３１】
図３は、携帯端末３（認識部３１、送信処理部３２）による処理の一例を示す概略的なフローチャートである。図３（ａ）は、車載装置２１の出力部２１４が上述した発光機器（緊急通報インジケータのＬＥＤランプ）である場合のフローチャートであり、図３（ｂ）は、車載装置２１の出力部２１４が上述した音響機器（スピーカ）である場合のフローチャートである。かかるフローチャートは、ユーザによる携帯端末３における所定の操作に応じて、実行される。
【００３２】
尚、図３（ａ）、（ｂ）に示すフローチャートは、代表的な流れを表し、実際に実行される分岐処理（判定処理）等に関しては、適宜、補足説明を行う。
【００３３】
まず、図３（ａ）について説明する。
【００３４】
ステップＳ２０２にて、認識部３１は、携帯端末３のカメラの撮像画像（カメラ画像）を取得する。
【００３５】
ステップＳ２０４にて、認識部３１は、取得したカメラ画像から上述した点滅パターンを認識する処理を実行する。
【００３６】
尚、携帯端末３のカメラが適切に発光機器に向けられていない等の理由により、点滅パターンを認識できない場合、認識部３１は、本フローチャートによる処理を終了してもよいし、再度、カメラで点滅パターンを撮像するよう促す通知を携帯端末３の表示部に表示させて、ステップＳ２０２、Ｓ２０４の処理を繰り返してもよい。
【００３７】
ステップＳ２０６にて、認識部３１は、点滅パターンを第２のユーザ情報（ユーザＩＤ及び初期パスワード等）として復元する処理を実行する。即ち、認識部３１は、車載装置２１のＥＣＵ２１２が第２のユーザ情報（符号情報）を点滅パターンに変換した処理の逆処理を行い、第２のユーザ情報を取得する。
【００３８】
ステップＳ２０８にて、送信処理部３２は、取得した第２のユーザ情報をセンタ４に送信し、センタ４に対してユーザ認証を要求する処理を行う（ユーザ認証要求）。
【００３９】
ステップＳ２１０にて、センタ４におけるユーザ認証が成功した（車両２とユーザとが紐づけられた）場合、送信処理部３２は、携帯端末３におけるユーザの操作に応じて、センタ４に初期登録を実行させる処理を行う（初期登録処理）。送信処理部３２は、例えば、携帯端末３の表示部に利用サービスの選択画面やセンタ４が車両２からの情報（各種センサ、アクチュエータの検出信号や制御信号等）の収集を同意する画面等を表示させる処理を行い、ユーザに初期登録を促す。そして、送信処理部３２は、ユーザの携帯端末３における操作で入力された内容（初期登録情報）をセンタ４に送信する処理を行う。
【００４０】
続いて、図３（ｂ）について説明する。
【００４１】
ステップＳ３０２にて、認識部３１は、携帯端末３のマイクロフォンで集音された音声（マイク音声）を取得する処理を実行する。
【００４２】
ステップＳ３０４にて、認識部３１は、取得したマイク音声から上述した音の高低或いは長短を用いたビット列データ（音データ）に相当する音を認識する処理を実行する（音認識）。
【００４３】
尚、携帯端末３のマイクロフォンが手で覆われている等の理由により、音認識ができない場合、認識部３１は、本フローチャートによる処理を終了してもよいし、再度、マイクロフォンによる集音を促す通知を携帯端末３の表示部に表示させて、ステップＳ３０２、Ｓ３０４の処理を繰り返してもよい。
【００４４】
ステップＳ３０６にて、認識部３１は、認識した音（音データ）を第２のユーザ情報（ユーザＩＤ及び初期パスワード等）として復元する処理を実行する。即ち、認識部３１は、車載装置２１のＥＣＵ２１２が第２のユーザ情報を音データに変換した処理の逆処理を行い、第２のユーザ情報を取得する。
【００４５】
ステップＳ３０８、Ｓ３１０は、それぞれ、ステップＳ２０８、Ｓ２１０と同様の処理であるため、説明を省略する。
【００４６】
尚、出力部２１４が上述した通信モジュールである場合は、ステップＳ２０２〜Ｓ２０６或いはステップＳ３０２〜Ｓ３０６の処理に代えて、準拠する通信規格で出力部２１４（通信モジュール）から送信される第２のユーザ情報を受信する処理を行えばよい。但し、携帯端末３は、Ｗｉ−ＦｉやＢｌｕｅｔｏｏｔｈ等による通信が可能な状態に設定されている必要がある。また、通信規格がＷｉ−Ｆｉである場合、携帯端末３が出力部２１４により形成されるＷｉ−Ｆｉ網に接続している必要がある。
【００４７】
図１に戻り、センタ４は、サーバ等を中心に構成され、送受信部４１、センタ記憶部４２、認証部４３等を含む。
【００４８】
送受信部４１は、携帯電話網等の無線通信ネットワーク５を通じて、車載装置２１（ＤＣＭ２１１）、携帯端末３から送信されたデータを受信する。また、送受信部４１は、無線通信ネットワーク５を通じて、車載装置２１（ＤＣＭ２１１）、携帯端末３に対してデータを送信する。
【００４９】
センタ記憶部４２は、車両２（具体的には、車両２のＶＩＮ情報）に紐づけられた第１のユーザ情報（ユーザＩＤ及び初期パスワード等を含む情報）が予め記憶される。上述の如く、センタ記憶部４２に記憶される第１のユーザ情報は、車両２のＶＩＮ情報に対して、予め規定されたアルゴリズム、即ち、工場出荷時に車両２のＥＣＵ２１２（内部メモリ）に記憶されるユーザ情報が生成される場合と同じアルゴリズムにより生成される。そのため、上述の如く、センタ４に登録される第１のユーザ情報とＥＣＵ２１２（内部メモリ）に格納される第２のユーザ情報とは同じ内容になる。
【００５０】
認証部４３は、センタ記憶部４２に予め記憶される第１のユーザ情報と、携帯端末３から送信される第２のユーザ情報に基づき、車両２に対するユーザ認証（車両２とユーザとの紐づけ）を行う。以下、図４を参照して、認証部４３における処理を説明する。
【００５１】
図４は、センタ４（認証部４３）の処理の一例を概略的に示すフローチャートである。本フローチャートは、送受信部４１が携帯端末３から第２のユーザ情報を受信すると実行される。
【００５２】
尚、図４に示すフローチャートは、代表的な流れを表し、実際に実行される分岐処理（判定処理）等に関しては、適宜、補足説明を行う。
【００５３】
ステップＳ４０２にて、認証部４３は、送受信部４１が携帯端末３から受信した第２のユーザ情報を取得する。
【００５４】
ステップＳ４０４にて、認証部４３は、送受信部４１が携帯端末３から受信した第２のユーザ情報（ユーザＩＤ及び初期パスワード）とセンタ記憶部４２に記憶される第１のユーザ情報（ユーザＩＤ及び初期パスワード）とを比較して、ユーザ認証を行う。認証部４３は、第１のユーザ情報と第２のユーザ情報が一致する場合、車両２に対するユーザの正当性を認証し（認証成功）、そうでない場合、認証しない（認証失敗）。認証部４３は、認証成功の場合、送受信部４１を通じて、認証成功した旨の通知を携帯端末３に送信する。
【００５５】
尚、認証失敗になった場合、認証部４３は、本フローチャートによる処理を終了してもよいし、送受信部４１を介して、携帯端末３に対する第２のユーザ情報の再送信を要求する等してもよい。
【００５６】
ステップＳ４０６にて、認証部４３は、送受信部４１が携帯端末３から受信した初期登録情報に基づき、初期登録を行う。
【００５７】
尚、例えば、携帯端末３で初期登録の操作が行われずにアプリケーションが終了される等により、送受信部４１が予め規定された期間が経過しても初期登録情報を受信しない場合は、ステップＳ４０６の処理を実行せずに、ステップＳ４０８の処理を実行する。
【００５８】
ステップＳ４０８にて、認証部４３は、ユーザ情報出力停止指令、及び通常モード遷移指令を車載装置２１（ＤＣＭ２１１）に送信し、今回の処理を終了する。ユーザ情報出力停止指令は、上述したＥＣＵ２１２が出力部２１４から第２のユーザ情報を出力させる処理を停止させる指令である。また、通常モード遷移指令は、ＥＣＵ２１２の動作モードを通常モードに遷移させるための指令である。ＤＣＭ２１１が受信したユーザ情報出力停止指令に基づき、ＥＣＵ２１２は、上述した出力部２１４から第２のユーザ情報を出力させる処理が実行されないようにする。これにより、既に、ユーザ認証が行われ、ユーザと車両２の紐付けができているにも関わらず、第三者が携帯端末３を用いてユーザ認証を受けてしまうような事態を回避することができる。また、ＤＣＭ２１１が受信した通常モード遷移指令に基づき、ＥＣＵ２１２は、動作モードを通常モードにする。
【００５９】
尚、車両２のユーザが変わった場合、例えば、新しいユーザがセンタ４に予め規定された手段（電話、ＦＡＸ、メール等）で依頼を行うと、センタ４の認証部４３が送受信部４１を介して、初期登録モード遷移指令を車載装置２１（ＤＣＭ２１１）に送信する。これにより、ＤＣＭ２１１が受信した初期登録モード遷移指令に基づき、ＥＣＵ２１２が動作モードを初期登録モードにするため、新しいユーザは、上述した内容に従い、センタ４におけるユーザ認証を受けることができる。
【００６０】
このように、本実施形態に係るユーザ認証システム１は、車両２に搭載される車載装置２１と、携帯端末３と、車両２の遠隔に設けられると共に、車載装置２１及び携帯端末３と通信可能に接続され、車両２と紐付けて予め規定された第１のユーザ情報に基づき、車両２に対するユーザ認証を行うセンタ４と、を含む。また、ユーザ認証システム１の車載装置２１は、第１のユーザ情報と同じ内容である第２のユーザ情報を予め記憶する内部メモリと、内部メモリに記憶される第２のユーザ情報を、車両に搭載される出力部２１４（発光機器、音響機器、又は通信モジュール）から出力させるマイクロコンピュータ等を含むＥＣＵ２１２を備える。また、ユーザ認証システム１の携帯端末３は、車載装置２１の出力部２１４から出力される第２のユーザ情報（に対応する光、音、又は通信データ）を取得し、第２のユーザ情報を認識する認識部３１と、認識部３１が認識した第２のユーザ情報をセンタ４に送信する送信処理部３２を備える。そして、ユーザ認証システム１のセンタ４は、第１のユーザ情報を予め記憶するセンタ記憶部４２と、携帯端末３の送信処理部３２から送信された第２のユーザ情報を受信する送受信部４１と、センタ記憶部４２に記憶される第１のユーザ情報と送受信部４１が受信した第２のユーザ情報とに基づき、ユーザ認証を行う認証部４３を備える。そのため、ユーザは、携帯端末３（例えば、ユーザが所有する携帯電話）を車載装置２１の出力部２１４（発光機器、音響機器、又は通信モジュール）に近づけることにより、携帯端末３の認識部３１が出力部２１４から出力される音、光、又は通信データを取得し、第２のユーザ情報を認識すると共に、携帯端末３の送信処理部３２がかかる第２のユーザ情報をセンタ４に送信する。そして、センタ４の送受信部４１は、携帯端末３の送信処理部３２から第２のユーザ情報を受信し、センタ４の認証部４３は、センタ記憶部４２に予め記憶される第１のユーザ情報と送受信部４１が受信した第２のユーザ情報とに基づき、ユーザ認証を行う。従って、車両２のユーザに対して、事前にユーザ情報を通知することなく、ユーザは、車両２に対する認証を受けることができる。
【００６１】
また、出力部２１４として車両２に搭載される発光機器又は音響機器を活用する場合は、車載装置２１から携帯端末３に第２のユーザ情報を伝達するための専用機器を設ける必要がないため、ユーザ認証を行うためのコスト上昇を抑制することができる。
【００６２】
以上、本発明を実施するための形態について詳述したが、本発明はかかる特定の実施形態に限定されるものではなく、特許請求の範囲に記載された本発明の要旨の範囲内において、種々の変形・変更が可能である。
【００６３】
例えば、上述した実施形態では、出力部２１４が出力する第２のユーザ情報に相当する光、音、又は通信データ等を携帯端末３が直接取得するが、かかる態様には限定されない。例えば、出力部２１４としてのメータ内の表示部に第２のユーザ情報を表示させると共に、ユーザが表示部に表示されるユーザＩＤと初期パスワードを認識し、携帯端末３に操作入力する態様であってもよい。かかる場合も、車両２のユーザに対して、事前にユーザ情報を通知することなく、ユーザは、車両２に対する認証を受けることができる。
【００６４】
なお、上述した実施形態に関して、更に以下を開示する。
【００６５】
（態様１）
車両に搭載される車載装置であり、前記車両の遠隔に設けられ、前記車両と紐付けて予め規定された第１のユーザ情報に基づき、前記車両に対するユーザ認証を行うセンタに対して、該ユーザ認証を受けるための情報を送信する携帯端末に、前記車両に搭載される発光機器又は音響機器からの光又は音として情報を伝達可能な車載装置であって、
前記第１のユーザ情報と同じ内容である第２のユーザ情報を予め記憶する車載記憶部と、
前記車載記憶部に記憶される前記第２のユーザ情報を、前記発光機器又は前記音響機器から光又は音として出力させる出力処理部を備える、
車載装置。
【００６６】
（態様２）
車両の遠隔に設けられ、前記車両と紐付けて予め規定された第１のユーザ情報に基づき、前記車両に対するユーザ認証を行うセンタと通信可能な携帯端末であって、
前記車両に搭載される車載装置が前記車両に搭載される発光機器又は音響機器からの光又は音として出力させた前記第１のユーザ情報と同じ内容である第２のユーザ情報を認識する認識部と、
前記認識部が認識した前記第２のユーザ情報を前記センタに送信する送信部を備える、
携帯端末。
【００６７】
（態様３）
車両に搭載される車載装置と、携帯端末と、前記車両の遠隔に設けられると共に、前記車載装置及び前記携帯端末と通信可能に接続され、前記車両と紐付けて予め規定された第１のユーザ情報に基づき、前記車両に対するユーザ認証を行うセンタと、を含む車両用ユーザ認証システムにおけるユーザ認証方法であって、
前記車載装置が、前記車載装置の車載記憶部に予め記憶される、前記第１のユーザ情報と同じ内容である第２のユーザ情報を、前記車両に搭載される発光機器又は音響機器から光又は音として出力し、
前記携帯端末が、前記発光機器又は前記音響機器から出力される前記光又は前記音を取得する共に、前記第２のユーザ情報を認識し、
前記携帯端末が、認識した前記第２のユーザ情報を前記センタに送信し、
前記センタが、前記携帯端末からの前記第２のユーザ情報を受信し、
前記センタが、前記センタのセンタ記憶部に予め記憶される前記第１のユーザ情報と、受信した前記第２のユーザ情報とに基づき、前記ユーザ認証を行う、
ユーザ認証方法。
【符号の説明】
【００６８】
１  車両用ユーザ認証システム
２  車両
３  携帯端末
４  センタ
５  無線通信ネットワーク
２１  車載装置
３１  認識部
３２  送信処理部
４１  送受信部（受信部）
４２  センタ記憶部
４３  認証部
２１１  ＤＣＭ
２１２  ＥＣＵ（車載記憶部、出力処理部）
２１３  通知部
２１４  出力部（発光機器、音響機器）
【図１】
2017092534.tif 000003
【図２】
2017092534.tif 000004
【図３】
2017092534.tif 000005
【図４】
2017092534.tif 000006